(57)【要約】【課題】見栄えの良い広い吹抜けを造ることができる吹抜けを有するユニット建物を得る。【解決手段】一階部分には一対の妻面フレーム３４を対向してかつ各々独立して配置し、二階部分には門型ユニット３８を一対の妻面フレーム３４に架け渡されるように配置して、両者を連結することにより、吹抜け４２が形成されている。これにより、一階部分と二階部分の境界部に梁型が存在しない広い吹抜け空間が形成される。【選択図】図１
2008291548.tif 000002
【特許請求の範囲】
【請求項１】
各々複数の柱及び梁を用いて矩形枠状に組まれ、かつ互いに対向する位置に独立して平行に立設された一組の下部架構体と、
各下部架構体の上端部にそれぞれ接合されると共に複数の柱及び梁を用いてそれぞれ矩形枠状に組まれた一組の側部架構体と、当該一組の側部架構体の上端部同士を連結する天井部架構体と、を含み、前記一組の下部架構体が向き合う方向と交差する方向から見た場合に門型に組まれた上部建物ユニットと、
を含んで構成されている、
ことを特徴とする吹抜けを有するユニット建物。
【請求項２】
前記下部架構体の梁及び前記上部建物ユニットの梁は、これに隣接して配置される箱形の通常の建物ユニットの妻側面に配置される梁に連結及び固定されている、
ことを特徴とする請求項１記載の吹抜けを有するユニット建物。
【請求項３】
前記下部架構体の梁及び前記上部建物ユニットの梁は、これに隣接して配置される箱形の通常の建物ユニットの桁側面に配置される梁に連結及び固定されている、
ことを特徴とする請求項１記載の吹抜けを有するユニット建物。
【請求項４】
前記上部建物ユニットは、工場生産時に、一組の下部架構体の下端部同士が取外し可能な仮床梁によって予め連結されている、
ことを特徴とする請求項１〜請求項３のいずれか一項に記載の吹抜けを有するユニット建物。
【請求項５】
前記一組の下部架構体の屋外側下端部は布基礎に支持されており、かつ当該布基礎における一組の下部架構体間には布基礎非形成部が設けられている、
ことを特徴とする請求項１〜請求項４のいずれか一項に記載の吹抜けを有するユニット建物。
【請求項６】
前記一組の下部架構体の屋外側下端部は布基礎に支持されており、かつ当該布基礎における一組の下部架構体間にも当該布基礎が連続して設けられている、
ことを特徴とする請求項１〜請求項４のいずれか一項に記載の吹抜けを有するユニット建物。
【請求項７】
前記上部建物ユニットを挟んで両側に通常の建物ユニットが隣接して配置されており、
かつ当該両側に配置された通常の建物ユニットの天井部架構体間に、前記上部建物ユニットの天井部架構体を架け渡しかつ相互に連結した、
ことを特徴とする請求項１〜請求項６のいずれか一項に記載の吹抜けを有するユニット建物。
【請求項８】
前記上部建物ユニットの天井部架構体は、当該上部建物ユニットと同一階に配置された他の通常の建物ユニットの天井部架構体と共に建物屋根部を形成する屋根ユニットの据付け面とされている、
ことを特徴とする請求項１〜請求項７のいずれか一項に記載の吹抜けを有するユニット建物。
【発明の詳細な説明】
【技術分野】
【０００１】
本発明は、吹抜けを有するユニット建物に関する。
【背景技術】
【０００２】
下記特許文献１には、吹抜けを備えたユニット建物に関する技術が開示されている。簡単に説明すると、下階側に配置される箱形の建物ユニットの天井を天井大梁だけで形成し、その上に床を床大梁だけで形成した箱形の建物ユニットを据付けることにより、上下階に亘って連通する吹抜けを形成するというものである。
【特許文献１】特公平６−４９７６号公報
【発明の開示】
【発明が解決しようとする課題】
【０００３】
しかしながら、上記先行技術による場合、上下階に亘って連通された吹抜けが形成されるといっても、二階床面には床大梁が残り、一階天井面には天井大梁が残るため、一階と二階の境界部分に矩形枠状の梁型が形成される。このため、上下階に亘って障害物が存在しない広い吹抜け空間を造ることはできなかった。
【０００４】
また、下階側の建物ユニットの天井大梁及び上階側の建物ユニットの床大梁が存在するため、建物水平方向の吹抜けサイズは最大限で天井大梁又は床大梁の内寸にしかならない。従って、建物水平方向に広がりをもった吹抜け空間を形成することもできなかった。
【０００５】
このように上記先行技術による場合、建物ユニットの梁が吹抜け内に障害物として存在するものしか造ることができず、見栄えの観点からも改良の余地がある。
【０００６】
本発明は上記事実を考慮し、見栄えの良い広い吹抜けを造ることができる吹抜けを有するユニット建物を得ることを目的とする。
【課題を解決するための手段】
【０００７】
請求項１の発明に係る吹抜けを有するユニット建物は、各々複数の柱及び梁を用いて矩形枠状に組まれ、かつ互いに対向する位置に独立して平行に立設された一組の下部架構体と、各下部架構体の上端部にそれぞれ接合されると共に複数の柱及び梁を用いてそれぞれ矩形枠状に組まれた一組の側部架構体と、当該一組の側部架構体の上端部同士を連結する天井部架構体と、を含み、前記一組の下部架構体が向き合う方向と交差する方向から見た場合に門型に組まれた上部建物ユニットと、を含んで構成されている、ことを特徴とする。
【０００８】
請求項２の発明は、請求項１記載の吹抜けを有するユニット建物において、前記下部架構体の梁及び前記上部建物ユニットの梁は、これに隣接して配置される箱形の通常の建物ユニットの妻側面に配置される梁に連結及び固定されている、ことを特徴とする。
【０００９】
請求項３の発明は、請求項１記載の吹抜けを有するユニット建物において、前記下部架構体の梁及び前記上部建物ユニットの梁は、これに隣接して配置される箱形の通常の建物ユニットの桁側面に配置される梁に連結及び固定されている、ことを特徴とする。
【００１０】
請求項４の発明は、請求項１〜請求項３のいずれか一項に記載の吹抜けを有するユニット建物において、前記上部建物ユニットは、工場生産時に、一組の下部架構体の下端部同士が取外し可能な仮床梁によって予め連結されている、ことを特徴とする。
【００１１】
請求項５の発明は、請求項１〜請求項４のいずれか一項に記載の吹抜けを有するユニット建物において、前記一組の下部架構体の屋外側下端部は布基礎に支持されており、かつ当該布基礎における一組の下部架構体間には布基礎非形成部が設けられている、ことを特徴とする。
【００１２】
請求項６の発明は、請求項１〜請求項４のいずれか一項に記載の吹抜けを有するユニット建物において、前記一組の下部架構体の屋外側下端部は布基礎に支持されており、かつ当該布基礎における一組の下部架構体間にも当該布基礎が連続して設けられている、ことを特徴とする。
【００１３】
請求項７の発明は、請求項１〜請求項６のいずれか一項に記載の吹抜けを有するユニット建物において、前記上部建物ユニットを挟んで両側に通常の建物ユニットが隣接して配置されており、かつ当該両側に配置された通常の建物ユニットの天井部架構体間に、前記上部建物ユニットの天井部架構体を架け渡しかつ相互に連結した、ことを特徴とする。
【００１４】
請求項８の発明は、請求項１〜請求項７のいずれか一項に記載の吹抜けを有するユニット建物において、前記上部建物ユニットの天井部架構体は、当該上部建物ユニットと同一階に配置された他の通常の建物ユニットの天井部架構体と共に建物屋根部を形成する屋根ユニットの据付け面とされている、ことを特徴とする。
【００１５】
請求項１記載の本発明によれば、矩形枠状に組まれた一組の下部架構体の上端部に、当該一組の下部架構体が向き合う方向と交差する方向から見た場合に門型に組まれた上部建物ユニットの一組の側部架構体が接合されることにより、上部建物ユニット及び一組の下部架構体の内方に吹抜けが形成される。
【００１６】
ここで、本発明では、一組の下部架構体が独立して平行に立設されているため、一組の下部架構体を繋ぐ梁（特には天井梁）が存在しない。また、一組の下部架構体上に架け渡される上部建物ユニットが門型に形成されているため、床梁が存在しない。このため、下部架構体と上部建物ユニットとの間に上下二段の矩形枠状の梁型が残らない。従って、下部架構体から上部建物ユニットに亘って障害物が存在しない広い吹抜け空間が形成される。また、同様の理由から、建物水平方向の吹抜けサイズがユニットサイズに限定されることもない。従って、建物水平方向に広がりをもった吹抜け空間を形成することも可能となる。さらに、吹抜け内方に梁が障害物として存在しないため、吹抜け自体の見栄えも非常に良い。
【００１７】
請求項２記載の本発明によれば、下部架構体の梁及び上部建物ユニットの梁は、これに隣接して配置される箱形の通常の建物ユニットの妻側面に配置される梁に連結及び固定される。従って、平面視で門型の上部建物ユニットと通常の建物ユニットとを直線状に配置するプランニング（レイアウト）を実現することができる。
【００１８】
請求項３記載の本発明によれば、下部架構体の梁及び上部建物ユニットの梁は、これに隣接して配置される箱形の通常の建物ユニットの桁側面に配置される梁に連結及び固定される。従って、平面視で門型の上部建物ユニットと通常の建物ユニットとを直交して配置するプランニング（レイアウト）を実現することができる。
【００１９】
請求項４記載の本発明によれば、工場生産時に、門型の上部建物ユニットの一組の側部架構体の下端部同士が取外し可能な仮床梁によって取外し可能に連結されているため、上部建物ユニットを工場から建築地まで輸送する際には、門型の上部建物ユニットに仮床梁が装着されて箱形の建物ユニットとなる。
【００２０】
請求項５記載の本発明によれば、一組の下部架構体の屋外側下端部は布基礎に支持されており、かつ当該布基礎における一組の下部架構体間には布基礎非形成部が設けられているので、吹抜けと建物外部とを仕切る位置に障害物が存在しない。従って、例えば、吹抜けを駐車スペースとして利用することができる。
【００２１】
請求項６記載の本発明によれば、一組の下部架構体の屋外側下端部は布基礎に支持されており、かつ当該布基礎における一組の下部架構体間にも当該布基礎が連続して設けられているので、吹抜けを駐車スペースとして活用することはできないが、建物側面に吹抜けと連通された大きな開口部を形成することができる。従って、例えば、吹抜けを玄関ホールや中庭等として利用することができる。
【００２２】
請求項７記載の本発明によれば、上部建物ユニットを挟んで両側に通常の建物ユニットが隣接して配置されており、かつ当該両側に配置された通常の建物ユニットの天井部架構体間に、上部建物ユニットの天井部架構体を架け渡しかつ相互に連結する構成としたので、門型の上部建物ユニットが吹抜けを造るためにのみ存在するのではなく、建物全体としての強度及び剛性を確保するため或いは向上させるために寄与するものとして活用することができる。
【００２３】
請求項８記載の本発明によれば、上部建物ユニットの天井部架構体は、当該上部建物ユニットと同一階に配置された他の通常の建物ユニットの天井部架構体と共に建物屋根部を形成する屋根ユニットの据付け面としたので、従来と同じ屋根ユニットをそのまま据付けることが可能となる。つまり、屋根ユニット側の設計変更をする必要がない。
【発明の効果】
【００２４】
請求項１記載の本発明に係る吹抜けを有するユニット建物は、見栄えの良い広い吹抜けを造ることができるという優れた効果を有する。
【００２５】
請求項２記載の本発明に係る吹抜けを有するユニット建物は、見栄えが良く広い吹抜けを有するユニット建物のプランニングの自由度を高めることができるという優れた効果を有する。
【００２６】
請求項３記載の本発明に係る吹抜けを有するユニット建物は、請求項２記載の発明と同様に、見栄えが良く広い吹抜けを有するユニット建物のプランニングの自由度を高めることができるという優れた効果を有する。
【００２７】
請求項４記載の本発明に係る吹抜けを有するユニット建物は、上部建物ユニットの輸送時の安定性を確保することができるという優れた効果を有する。
【００２８】
請求項５記載の本発明に係る吹抜けを有するユニット建物は、吹抜けを駐車スペースとして利用したプランニングが可能になるという意味で、プランニングの自由度をより一層高めることができるという優れた効果を有する。
【００２９】
請求項６記載の本発明に係る吹抜けを有するユニット建物は、吹抜けを玄関スペースや中庭等として利用したプランニングが可能になるという意味で、プランニングの自由度をより一層高めることができるという優れた効果を有する。
【００３０】
請求項７記載の本発明に係る吹抜けを有するユニット建物は、上部建物ユニットを建物全体の強度・剛性の確保或いは向上に活用することができるという優れた効果を有する。
【００３１】
請求項８記載の本発明に係る吹抜けを有するユニット建物は、従来と同じ屋根ユニットを据付けることができるので、屋根ユニットひいてはユニット建物の生産性を良好に維持することができるという優れた効果を有する。
【発明を実施するための最良の形態】
【００３２】
以下、図１〜図６を用いて、本発明に係る吹抜けを有するユニット建物の一実施形態について説明する。
【００３３】
図１には、本実施形態の要部に係る一対の妻フレーム及び門型の建物ユニットが、上下に分離された状態で示されている。また、図２には、本実施形態に係るユニット建物の一階部分の平面図（伏図）が示されている。また、図３（Ａ）には本実施形態に係るユニット建物の二階部分の平面図（伏図）が示されており、更に図３（Ｂ）には当該ユニット建物の正面図（軸組図）が示されている。なお、図３（Ｂ）は、図３（Ａ）のユニット建物を（Ｂ）−（Ｂ）線に沿って切断したものとして見た正面図である。
【００３４】
これらの図に示されるように、ユニット建物１０は、布基礎１２と、布基礎１２上に設けられた一階部分１４と、一階部分１４の上に設けられた二階部分１６と、二階部分１６の上に設けられた屋根部分１８とによって構成されている。
【００３５】
布基礎１２は建物外周に沿って帯状に立設されており、平面視では矩形枠状に形成されている。但し、本実施形態の布基礎１２はその一部が途中で途切れており、不連続とされている。以下、この布基礎１２が途切れて形成されていない部分を「布基礎非形成部２０（図３（Ｂ）参照）」と称す。
【００３６】
図２に示されるように、一階部分１４の外周部は、通常の箱形ユニット２２、２４が隣接して配置されている。具体的に説明すると、一階部分１４の右側半分には、合計５個のワイドスパンの箱形ユニット２２が妻方向に隣接して配置されている。また、一階部分１４の左側半分の両角部には、同じワイドスパンの箱形ユニット２４が妻方向に離間して配置されている。さらに、一階部分１４の左側半分の外周部でかつ一対の箱形ユニット２４間の屋外側には、２個の標準スパンの箱形ユニット２６がワイドスパンの箱形ユニット２４に直交するかたちで配置されている。また、一階部分１４の左側半分の略中央部にはハーフサイズの箱形ユニット２８が箱形ユニット２６に直交するかたちで配置されている。そして、このハーフサイズの箱形ユニット２８を挟んで妻方向の両側に、後に詳述するエレベータ室３０と階段室３２とが設けられている。
【００３７】
図３（Ａ）に示されるように、二階部分１６も、本実施形態の要部となるエレベータ室３０及び階段室３２を除いて、一階部分１４と同様に各ユニットが配置されている。なお、一階部分１４と同一の建物ユニットには、同一番号を付してその説明を省略する。
【００３８】
ここで、本実施形態では、上述したユニット建物１０の略中央部に、図１に示される下部架構体としての一対の妻面フレーム３４（、３６）並びに上部建物ユニットとしての門型ユニット３８（、４０）を用いて、エレベータ室３０（及び階段室３２）として利用するための上下階に連通する大型の吹抜け４２（、４４）が形成されている点に特徴があり、以下に詳細に説明する。
【００３９】
図１に示されるように、妻面フレーム３４は、２本の柱４６と、これらの２本の柱４６の上端部同士を繋ぐ妻側天井大梁４８と、２本の柱４６の下端部同士を繋ぐ妻側床大梁５０と、によって矩形枠状に構成されている。そして、一対の妻面フレーム３４が、一階部分１４のエレベータ室３０（吹抜け４２）が形成される位置に、互いに対向しかつ平行に立設されている。すなわち、一対の妻面フレーム３４を連結する桁側天井大梁及び桁側床大梁は存在しない構成となっている。
【００４０】
なお、図２に示されるように、一方の妻面フレーム３４の妻側天井大梁４８及び妻側床大梁５０は、これに直交して配置される箱形ユニット２６の天井大梁５２及び床大梁（図示省略）に図示しないブラケットを介してボルト及びナット等の接合手段によって接合されている。また、他方の妻面フレーム３４の妻側天井大梁４８及び妻側床大梁５０は、これに隣接して平行に配置される箱形ユニット２２の天井大梁５４及び床大梁（図示省略）に図示しないブラケットを介してボルト及びナット等の接合手段によって接合されている。
【００４１】
上述した一対の妻面フレーム３４の上端部には、吹抜け４２、４４の上部側を形成するための門型ユニット３８が連結されている。門型ユニット３８は、四隅に立設された柱５６と、妻方向に対向して配置された（即ち、妻面フレーム３４側に配置された）柱５６の上端部同士を繋ぐ一対の妻側天井大梁５８と、当該柱５６の下端部同士を繋ぐ妻側床大梁６０と、桁方向に対向して配置された（即ち、妻面フレーム３４が配置されていない側に配置された）柱５６の上端部同士を連結する一対の桁側天井大梁６２と、一対の桁側天井大梁６２間に所定の間隔で配置された複数の天井小梁６４と、によって構成されている。なお、門型ユニット３８は、一階部分１４に配置される一対の妻面フレーム３４と同様構成の一対の側部架構体としての妻面フレーム６６と、これらの妻面フレーム６６の上端部同士を連結する梯子状の天井部架構体としての天井面フレーム６８と、によって構成されていると観ることもできる。
【００４２】
上記構成の一対の妻面フレーム３４が一階部分１４の箱形ユニット２８の片側に配置され、かつ門型ユニット３８が当該一対の妻面フレーム３４に跨って二階部分１６に配置されて連結されることにより、エレベータ室３０として利用される吹抜け４２が形成されている。また、上記構成の一対の妻面フレーム３４とハーフサイズの一対の妻面フレーム３６が一階部分１４の箱形ユニット２８の反対側に並列して配置され、かつ上記構成の門型ユニット３８及びハーフサイズの門型ユニット４０が当該一対の妻面フレーム３４、３６に跨って二階部分１６に配置されて連結されることにより、階段室３２として利用される吹抜け４４が形成されている。
【００４３】
（作用・効果）
次に、本実施形態の作用並びに効果について説明する。
【００４４】
本実施形態によれば、複数種類のサイズから成る必要個数の箱形ユニット２２、２４、２６、２８が布基礎１２上に据付けられると共に、合計３組の妻面フレーム３４、３６が箱形ユニット２８の両側に据付けられる。これにより、ユニット建物１０の一階部分１４が形成される。一階部分１４の形成後、同様にして複数種類のサイズから成る必要個数の箱形ユニット２２、２４、２６、２８が、既に据付けられた一階部分１４の箱形ユニット２２、２４、２６、２８上に据付けられると共に、合計３組の門型ユニット３８、４０が据付けられる。これにより、ユニット建物１０の二階部分１６が形成される。そして最後に、二階部分１６の上面に複数の屋根ユニット７０（図３（Ａ）参照）が順次据付けられることにより、ユニット建物１０の屋根部分１８が形成され、ユニット建物１０が構築される。
【００４５】
上記の如くして構築されたユニット建物１０では、建物中央側の二箇所に一階から二階に亘る大型の吹抜け４２、４４が形成される。この内、一方の吹抜け４２はエレベータ室３０として利用され、他方の吹抜け４４は階段室３２として利用される。
【００４６】
ここで、エレベータ室３０として利用される吹抜け４２を例にして説明すると、本実施形態では、一対の妻面フレーム３４を互いに対向しかつ平行に立設させ、両者を連結せず各々独立した構成としたので、その上端部間に門型ユニット３８を架け渡して配置した場合に、一階部分１４と二階部分１６との境界位置の妻方向側には梁型が残らない。従って、一階から二階に亘って障害物が存在しない広い吹抜け４２が形成される。
【００４７】
また、階段室３２として利用される吹抜け４４を例にして説明すると、同様の理由（即ち、一階部分１４と二階部分１６との境界位置の妻方向側に梁型が残らないこと）から、建物水平方向の吹抜けサイズがユニットサイズに限定されることもない。従って、本実施形態のように通常サイズの妻面フレーム３４及び門型ユニット３８とハーフサイズの妻面フレーム３６及び門型ユニット４０を並列して配置した場合に、建物水平方向に広がりをもった（即ち、建物水平方向に障害物が存在しない）吹抜け４４を形成することも可能となる。
【００４８】
さらに、吹抜け４２、４４の内方に梁が障害物として存在しないため、吹抜け４２、４４自体の見栄えも非常に良いものとなる。
【００４９】
以上三点より、本実施形態によれば、見栄えの良い広い吹抜け４２、４４を造ることができる。
【００５０】
この点について補足すると、従来のユニット建物１００の場合、図４〜図６に示されるように、門型ユニット１０２を一階部分１０４に配置し、その上の二階部分１０６に箱形ユニット１０８を据付けることにより吹抜け１１０を形成していたので、一階部分１０４と二階部分１０６との境界部に門型ユニット１０２の桁側天井大梁１１２と箱形ユニット１０８の桁側床大梁１１４とが梁型１１６（図６参照）として残る。このため、梁型１１６が吹抜けサイズの制限となり、高さ方向にも障害物として存在し、又見栄えも良くないものとなっていた。しかし、本実施形態では、吹抜け４２、４４の下部をユニットで構成せず、フレームを対向配置させる構成とし、吹抜け４２、４４の上部を門型ユニット３８、４０で構成することとしたので、従来構造の問題点は解消される。
【００５１】
また、本実施形態では、妻面フレーム３４、３６の妻側の梁材及び門型ユニット３８、４０の妻側の梁材を、これと平行に梁材が配置される箱形ユニット２２に接合することもできれば、これと直交して梁材が配置される箱形ユニット２４に接合することも可能である。従って、ユニット建物のプランニングの自由度を高めることができる。
【００５２】
さらに、本実施形態では、工場生産時に、吹抜け４２、４４の上部を構成する門型ユニット３８、４０の柱４６の下端部間に建築地で取外し可能な仮床梁７２（図１参照）を架け渡しておくことにより、輸送時の安定性を確保することができる。
【００５３】
また、本実施形態では、布基礎１２の吹抜け４４が形成される部位に布基礎非形成部２０を設定したので、吹抜け４４と建物外部とを仕切る位置に障害物が存在しない。従って、例えば、吹抜けを駐車スペースとして利用することができる。よって、吹抜け４４を駐車スペースとして利用したプランニングが可能になるという意味で、プランニングの自由度をより一層高めることができる。
【００５４】
なお、布基礎非形成部２０に布基礎をそのまま連続して形成する構成を採ってもよい。この場合には、吹抜け４４を駐車スペースとして活用することはできないが、建物側面に吹抜け４４と連通された大きな開口部７４（図３（Ｂ）参照）を形成することができる。従って、例えば、吹抜け４４を玄関ホールや中庭等として利用することができる。よって、吹抜け４４を玄関スペースや中庭等として利用したプランニングが可能になるという意味で、プランニングの自由度をより一層高めることができる。
【００５５】
また、本実施形態では、エレベータ室３０側の吹抜け４２を例にして説明すると、図３（Ａ）に示されるように、上階側に配置される門型ユニット３８の両側に通常の箱形ユニット２２、２４が隣接して配置されており、両者間に門型ユニット３８の天井面フレーム６８を架け渡しかつ相互に連結する構成としたので、門型ユニット３８が吹抜け４２を造るためにのみ存在するのではなく、ユニット建物１０全体としての強度及び剛性の確保或いは向上のために寄与するものとして活用することができる。門型ユニット３８の妻方向の両側に隣接して配置される箱形ユニット２４、２８との間でも図示しないブラケットで隣接する梁同士を連結することにより、より高い補強効果が得られる。従って、本実施形態によれば、門型ユニット３８、４０を建物全体の強度・剛性の確保或いは向上に活用することができる。
【００５６】
さらに、本実施形態では、図３（Ａ）に示されるように、門型ユニット３８が箱形ユニット２２の天井面フレーム７６と同様構成の天井面フレーム６８を備えているので、屋根ユニット７０の据付け面として使うことができる。従って、屋根部分１８については従来と同じ屋根ユニット７０をそのまま据付けることが可能となる。つまり、屋根ユニット７０側の設計変更をする必要がない。このように本実施形態によれば、従来と同じ屋根ユニット７０を据付けることができるので、屋根ユニット７０ひいてはユニット建物１０の生産性を良好に維持することができる。
【００５７】
〔本実施形態の補足説明〕
以上説明した本実施形態では、一般住宅に対して本発明を適用したが、これに限らず、他の用途（商業的用途、工業的用途、農業的用途、福祉施設・公共施設等の非営利目的の行政的用途を含む）に対して本発明を用いてもよい。
【００５８】
また、本実施形態では、一対の妻面フレーム３４、３６を対向して配置する構成を採ったが、これに限らず、桁面側に一対の桁面フレームを対向して配置し、門型ユニットも妻側から見て門型となるように構成したものを用いて吹抜けを形成するようにしてもよい。その場合には、妻側に開放された吹抜けを造ることができる。
【図面の簡単な説明】
【００５９】
【図１】本実施形態の要部に係る一対の妻面フレームと門型ユニットを分離して示す斜視図である。
【図２】ユニット建物の一階部分の平面図（伏図）である。
【図３】（Ａ）はユニット建物の二階部分の平面図（伏図）であり、（Ｂ）はユニット建物を（Ａ）の（Ｂ）−（Ｂ）線に沿って見た正面図（軸組図）である。
【図４】従来の吹抜けのユニット構成を示す図１に対応する斜視図である。
【図５】従来のユニット建物の一階部分の平面図（伏図）である。
【図６】（Ａ）は従来のユニット建物の二階部分の平面図（伏図）であり、（Ｂ）は従来のユニット建物の正面図（軸組図）である。
【符号の説明】
【００６０】
１０      ユニット建物
１２      布基礎
１４      一階部分
１６      二階部分
１８      屋根部分（建物屋根部）
２０      布基礎非形成部
２２      箱形ユニット（通常の建物ユニット）
２４      箱形ユニット（通常の建物ユニット）
２６      箱形ユニット（通常の建物ユニット）
２８      箱形ユニット（通常の建物ユニット）
３４      妻面フレーム（下部架構体）
３６      妻面フレーム（下部架構体）
３８      門型ユニット（上部建物ユニット）
４０      門型ユニット（上部建物ユニット）
４２      吹抜け
４４      吹抜け
４６      柱
４８      妻側天井大梁
５０      妻側床大梁
５２      天井大梁（通常の建物ユニットの桁側面に配置される梁）
５４      天井大梁（通常の建物ユニットの妻側面に配置される梁）
５６      柱
５８      妻側天井大梁
６０      妻側床大梁
６２      桁側天井大梁
６４      天井小梁
６６      妻面フレーム（側部架構体）
６８      天井面フレーム（上部建物ユニットの天井部架構体）
７０      屋根ユニット
７２      仮床梁
７４      開口部
７６      天井面フレーム（通常の建物ユニットの天井部架構体）
【図１】
2008291548.tif 000003
【図２】
2008291548.tif 000004
【図３】
2008291548.tif 000005
【図４】
2008291548.tif 000006
【図５】
2008291548.tif 000007
【図６】
2008291548.tif 000008